(57)【要約】  ネットワークへのバックホール接続の決定された品質に基づいて、フェムトセルのような、基地局の送信を制御するための方法と装置が開示される。特に、通信網のノードへの基地局のバックホール接続の品質が決定される。この品質決定に基づいて、基地局からの送信は、決定された品質が所定のされた条件に一致しない時、制限または停止のどちらかがされる。バックホール接続の品質の低下は、例えば、端末機へアクセスするための十分なサービスを提供する基地局の能力に影響を与える。バックホール 品質が低下する時、基地局の無線送信を制限または停止することによって、基地局に現在アクセスしているか、基地局に接続を試みているかのどちらかのアクセス端末機は、他の基地局またはアクセスポイントに、より有効に伝送することが可能である。
2011514758.tif 000002
【特許請求の範囲】
【請求項１】
通信網の基地局の送信を制御するための方法であって、
前記通信網内の少なくとも１つのノードと前記基地局間のバックホール接続の品質を決定することと、
前記決定された品質が所定の条件に一致しない時、前記基地局から少なくとも１つの無線信号の送信を妨げることと、
を具備する方法。
【請求項２】
前記所定の条件が、前記通信網内の前記少なくとも１つのノードへのバックホール接続のパケット接続性と、
前記基地局と前記少なくとも１つのノード間の前記バックホール接続のパケットスループットが所定のスループット閾値よりも大きいということと、
前記バックホール接続を介した前記少なくとも１つのノードと前記基地局との間のパケットレイテンシーが所定のレイテンシー閾値より小さいということと、
バックホールジッターのレベルがジッター閾値より小さいということ、
の少なくとも１つを含む請求項１記載の方法。
【請求項３】
前記バックホール接続の前記品質を決定することが、
前記基地局と前記少なくとも１つのノードの間のバックホール接続のパケット接続性状態を決定することと、
前記バックホール接続のパケットスループットを決定することと、
前記バックホールのパケットレイテンシーを決定することと、
バックホールジッターのレベルを決定することと、
の少なくとも１つを含む請求項１記載の方法。
【請求項４】
前記バックホール接続の品質の前記決定が、前記基地局と、前記少なくとも１つのノードとの少なくとも一方によって開始される請求項１記載の方法。
【請求項５】
前記通信網の前記少なくとも１つのノードが、フェムトゲートウェイ、ピコゲートウェイ、アクセスゲートウェイ、モビリティマネジャー、AAAサーバーの少なくとも１つを具備する請求項１記載の方法。
【請求項６】
前記バックホール接続の品質の前記決定が、周期的に実行される請求項１記載の方法。
【請求項７】
前記バックホール接続の品質の前記決定が、無線通信装置が前記基地局へのアクセスを要求する時はいつも実行される請求項１記載の方法。
【請求項８】
前記バックホール接続の前記品質の前記決定が、前記基地局の起動によって実行される請求項１記載の方法。
【請求項９】
前記基地局が、セルラー方式の技術を使用している無線通信装置と通信するように構成されたエンドユーザ装置を具備する請求項１記載の方法。
【請求項１０】
前記基地局が、フェムトセルとピコセルの１つである請求項９記載の方法。
【請求項１１】
前記決定された品質が、前記所定の 条件に一致しない時、前記基地局からの全ての無線信号の送信を妨げることをさらに具備する請求項１記載の方法。
【請求項１２】
基地局の送信を制御するための装置であって、
プロセッサーによって実行可能な命令を格納しているメモリと、
前記通信網内の少なくとも１つのノードと前記基地局間のバックホール接続の品質を決定し、前記決定した品質が、所定の条件に一致しない時、前記基地局からの少なくとも１つの無線信号の送信を妨げるために、前記メモリに格納された前記命令を実行するように構成された少なくとも１つのプロセッサーと、
を具備する装置。
【請求項１３】
前記所定の条件が、
前記通信網内の少なくとも１つのノードへのバックホール接続のパケット接続性と、
前記基地局と前記少なくとも１つのノード間の前記バックホール接続のパケットスループットが所定のスループット閾値よりも大きいということと、
前記バックホール接続を介した前記少なくとも１つのノードと前記基地局との間のパケットレイテンシーが所定のレイテンシー閾値よりも小さいということと、
バックホールジッターのレベルが、ジッター閾値よりも小さいということと、
の少なくとも１つを含む請求項１２記載の装置。
【請求項１４】
前記少なくとも１つのプロセッサーが、
前記基地局と前記少なくとも１つのノード間のバックホール接続のパケット接続性状態を決定することと、
前記バックホール接続の前記パケットスループットを決定することと、
前記バックホールのパケットレイテンシーを決定することと、
バックホールジッターのレベルを決定すること、
の少なくとも１つによりバックホール接続の前記品質を決定するように構成される請求項１２記載の装置。
【請求項１５】
前記バックホール接続の前記品質の前記決定が、前記基地局と前記少なくとも１つのノードの前記少なくとも１つのプロセッサーの１つによって開始される請求項１２記載の装置。
【請求項１６】
前記通信網の前記少なくとも１つのノードが、フェムトゲートウェイ、ピコゲートウェイ、アクセスゲートウェイ、モビリティマネジャー、AAAサーバーの少なくとも１つを具備する請求項１２記載の装置。
【請求項１７】
前記少なくとも１つのプロセッサーが、周期的に前記バックホール接続の前記品質の決定をするように構成された請求項１２記載の装置。
【請求項１８】
少なくとも１つのプロセッサーが、無線通信装置が前記基地局へのアクセスを要求する時はいつも、前記バックホール接続の前記品質を決定するように構成された請求項１２記載の装置。
【請求項１９】
前記少なくとも１つのプロセッサーが、前記基地局の電源オンによって、前記バックホール接続の前記品質を決定するように構成された請求項１２記載の装置。
【請求項２０】
前記基地局が、セルラー方式の技術を使用している通信装置と通信するように構成されたエンドユーザ装置を具備する請求項１２記載の装置。
【請求項２１】
前記基地局が、フェムトセルとピコセルの１つである請求項２０記載の装置。
【請求項２２】
前記少なくとも１つのプロセッサーが、前記決定された品質が前記所定の条件に一致しない時、前記基地局からの全ての無線信号の送信を妨げるようにさらに構成された請求項１２記載の装置。
【請求項２３】
前記基地局と前記通信網内の少なくとも１つのノードの間で、バックホール接続の品質を決定するための手段と、
前記決定された品質が、所定のされた条件に一致しない時、前記基地局からの少なくとも１つの無線信号の送信を妨げるための手段と、
を具備する通信システムにおいて使用するための装置。
【請求項２４】
前記通信網内の前記少なくとも１つのノードへの前記バックホール接続のパケット接続性と、
前記基地局と前記少なくとも１つのノード間の前記バックホール接続のパケットレイテンシーが所定のスループット閾値よりも大きいということと、
前記バックホール接続を介した前記少なくとも１つのノードと前記基地局の間パケットレイテンシーが所定のレイテンシー閾値よりも小さいということと、
バックホールジッターのレベルがジッター閾値よりも小さいということと、
の少なくとも１つを含む請求項２３記載の装置。
【請求項２５】
前記バックホール接続の前記品質を決定するための前記手段は、前記基地局と前記少なくとも１つのノードの間のバックホール接続のパケット接続性状態を決定することと、
前記バックホール接続のパケットスループットを決定することと、
前記バックホールのパケットレイテンシーを決定することと、
バックホールジッターのレベルを決定することと、
の少なくとも１つを含む請求項２３記載の装置。
【請求項２６】
前記バックホール接続の前記品質の前記決定が、前記基地局と少なくとも１つのノードの一方によって開始される請求項２３記載の装置。
【請求項２７】
前記通信網の前記少なくとも１つのノードが、フェムトゲートウェイ、ピコゲートウェイ、アクセスゲートウェイ、モビリティマネジャー、AAAサーバーの少なくとも１つを具備する請求項２３記載の装置。
【請求項２８】
前記バックホール接続の前記品質の前記決定が、周期的に実行される請求項２３記載の装置。
【請求項２９】
前記バックホール接続の品質の前記決定が、無線通信装置が前記基地局へのアクセスを要求する時はいつも実行される請求項２３記載の装置。
【請求項３０】
前記バックホール接続の前記品質の前記決定が、前記基地局の電源を入れることによって実行される請求項２３記載の装置。
【請求項３１】
前記基地局が、セルラー方式の技術を使用している無線通信装置と通信するように構成されたエンドユーザ装置を具備する請求項２３記載の装置。
【請求項３２】
前記基地局が、フェムトセルとピコセルの１つである請求項３１記載の装置。
【請求項３３】
前記基地局からの少なくとも１つの信号の送信を妨げるための前記手段は、前記決定された品質が前記所定の 条件に一致しない時、前記基地局からの全ての無線信号の送信を妨げるように構成されている請求項２３記載の装置。
【請求項３４】
基地局の送信を制御するために前記基地局において使用するためのコンピュータプログラム製品であって、
前記通信網内ので、前記基地局と少なくとも１つのノード間のバックホール接続の品質をコンピュータに決定させるためのコードと、
前記決定された品質が、所定の 条件に一致しない時、前記基地局からの少なくとも１つの無線信号の送信をコンピュータに妨げさせるためのコードと、
を具備するコンピュータ可読の媒体を具備する前記コンピュータプログラム製品。
【請求項３５】
前記所定の状態が、
前記通信網内の前記少なくとも１つのノードへのバックホール接続のパケット接続性と、
前記基地局と前記少なくとも１つのノードの間の前記バックホール接続のパケットスループットが所定のスループット閾値よりも大きいということと、
前記バックホール接続を介した前記少なくとも１つのノードと前記基地局の間のパケットレイテンシーが所定のレイテンシー閾値より小さいということと、
バックホールジッターのレベルがジッター閾値より小さいということの、
少なくとも１つを含む請求項３４記載のコンピュータプログラム製品。
【請求項３６】
前記バックホール接続の前記品質をコンピュータに決定させるための前記コードは、
前記基地局と前記少なくとも１つのノードの間の前記バックホール接続のパケット接続性状態を決定することと、
前記バックホール接続の前記パケットスループットを決定することと、
前記バックホールのパケットレイテンシーを決定することと、
バックホールジッターのレベルを決定することと、
の少なくとも１つをコンピュータにさせるためのコードを含む請求項３４記載のコンピュータプログラム製品。
【請求項３７】
前記バックホール接続の前記品質の前記決定は、前記基地局の１つと前記少なくとも１つのノードで開始される請求項３４記載のコンピュータプログラム製品。
【請求項３８】
前記通信網の前記少なくとも１つのノードがフェムトゲートウェイ、ピコゲートウェイ、アクセスゲートウェイ、モビリティマネジャー、AAAサーバーの少なくとも１つを具備する請求項３８記載のコンピュータプログラム製品。
【請求項３９】
前記バックホール接続の前記品質の前記決定は、周期的に実行される請求項３４記載のコンピュータプログラム製品。
【請求項４０】
前記バックホール接続の品質の前記決定が、無線通信装置が前記基地局へのアクセスを要求する時はいつも実行される請求項３４記載のコンピュータプログラム製品。
【請求項４１】
前記バックホール接続の前記品質の前記決定は、前記基地局の電源が入ることによって、実行される請求項３４記載のコンピュータプログラム製品。
【請求項４２】
前記基地局が、セルラー方式の技術を使用している無線通信装置と通信するように構成されたエンドユーザ装置を具備する請求項３４記載のコンピュータプログラム製品。
【請求項４３】
前記基地局が、フェムトセルとピコセルの１つである請求項４２記載のコンピュータプログラム製品。
【請求項４４】
前記コンピュータ可読の媒体は前記決定された品質が、前記所定の 条件に一致しない時、前記基地局からの全ての無線信号の送信をコンピュータに妨げさせるためのコードをさらに具備する請求項３４記載のコンピュータプログラム製品。
【発明の詳細な説明】
【関連出願】
【０００１】
特許についての本出願は、２００８年２月２２日出願の「バックホール接続性に基づく基地局からの無線周波数放射の制限」と題された米国仮出願Ｎｏ．６１／０３０，８８３の優先権を主張し、本願の譲受人に譲渡され、ここに参照により明確に組み込まれる。
【技術分野】
【０００２】
本発明は、基地局の送信を制御するため方法および装置に関し、基地局のバックホール接続の品質に基づき、基地局からの無線周波数（RF）送信または基地局からの輻射を遮断または制限する通信システムの方法および装置に、さらに特に関連する。
【背景技術】
【０００３】
現在のきちんとした携帯電話網に加えて、アクセスポイント（APｓ）または小さな基地局の新しいクラスが出現した。これらの基地局は、例えば、ユーザーの家の中に備え付けられるかもしれないし、広域インターネット接続を使用しているモバイル通信ユニット（例えば、無線ユーザー機器（UE）またはアクセス端末（AT））へ無線受信範囲を提供するかもしれない。これら個人用の小型の基地局は、ホームノードB（HNB）、ホームバスステーション（ＨＢＳ）、フェムトセル、またはピコセルとして一般的に知られる。通信ユニットを通常担当している無線ネットワーク（例えば、無線セル網）の代わりに、これらの基地局は、ローカルエリアのサービスを改善または向上するために備え付けられるかもしれない。インターネット接続を利用することによって、これらの基地局は、そのローカルエリアのユーザーに対して低いコストのモバイルボイス、ビデオとデータ通信をもまた提供するかもしれない。典型的に、これらの小型の基地局は、例として、DSLモデムまたはケーブルモデムを含んでいるバックホールを経由してインターネットに接続されている。
【０００４】
DSL接続のようなインターネットアクセスに関するバックホールは、時々確実でない。従って、もしインターネット接続を利用している基地局がバックホール品質低下のある程度または、バックホール接続の喪失を完全に経験した場合、それにもかかわらず、基地局はRFを送信または輻射し続けるだろう。従って、通信網との通信に関する基地局を現在利用しているATは、サービスの低品質な電話、または途絶えた電話を経験するだろう。さらに、他のATｓは、基地局からのRF送信を感知し、基地局を経由した通信網に接続しようと試みるかもしれない。その結果、サービスを全く検出せず、または低品質なサービスを検出せず、プロセスの中で、基地局を使用しようと試みることによって、低下している電話の品質、または途絶えた電話を経験することになる。
【発明の概要】
【０００５】
ある側面に従って、通信網で基地局の送信を制御するための方法が開示される。その方法は、基地局と通信網内の少なくとも１つのノード間のバックホール接続の品質を決定することを含む。その方法は、所定の品質が所定の条件に合わない時、基地局からの少なくとも１つの無線信号の送信を妨げることもまた含む。
【０００６】
他の側面に従って、基地局の送信を制御するための装置が開示される。その装置は、プロセッサーによって実行可能なメモリ記憶装置を含む。その装置は、基地局と通信網内の少なくとも１つのノード間のバックホール接続の品質を決定するために、メモリに格納された命令を実行するように構成された少なくとも１つのプロセッサーもまた含む。その少なくとも１つのプロセッサーは、所定の品質が所定の条件に合わない時、基地局からの少なくとも１つの無線信号の送信を妨げるようにも構成される。
【０００７】
さらに他の側面に従って、通信システムの利用に関する装置が開示される。その装置は基地局と通信網内の少なくとも一つのノード間のバックホール接続の品質を決定するための手段を含む。その手段は、所定の品質が所定の条件に合わない時、基地局からの少なくとも１つの無線信号の送信を妨げるための手段も含む。
【０００８】
さらに付け加えた一つの側面で、基地局の送信を制御するための、基地局での使用に関するコンピュータ製品が開示される。基地局内での使用に関するコンピュータプログラム製品が開示される。コンピュータプログラム製品は、基地局と通信網内の少なくとも１つのノード間のバックホール接続の品質をコンピュータに決定をもたらすためのコードを含んでいるコンピュータ可読の媒体を具備する。そのコンピュータプログラムは、所定の品質が所定の条件に合わない時、基地局からの少なくとも１つの無線信号の送信をコンピュータに遮断させるためのコードも含む。
【図面の簡単な説明】
【０００９】
【図１】図１は、様々な開示された側面が実施されるかもしれない例示の無線通信システムを例証する。
【図２】図２は、通信システムで基地局の送信を制御するための例示の方法のフロー図を例証する。
【図３】図３は、通信システムで基地局の送信を制御するための例示の装置を含んでいる、基地局の実施例である。
【図４】図４は、通信システムで基地局の送信を制御するために利用されるかもしれない、他の例示の装置である。
【発明を実施するための形態】
【００１０】
単語“例示の”はこの中で、”例えば、一例または例示として働いていること“を意味して使用される。”例示の”としてこの中で記述されるどんな実施形態も、他の実施形態について、望ましいものまたは有利なものとして構成される必要はない。開示された実施形態は次の技術の任意の１つまたは組み合わせに適用されるかもしれない。その技術は、符号分割多重接続（CDMA）システム、マルチキャリアCDMA（MC-CDMA）、広域CDMA(W-CDMA)、ハイスピードダウンリンクパケットアクセス（HSPA、HSPA+）、時分割多重アクセス（TDMA）システム、周波数分割多元接続（FDMA）システム、直交周波数分割多元接続（OFDMA）システム、ウルトラ・モバイル・ブロードバンド（UMB）、ロングタームエボリューション(LTE)、または他の多数のアクセス技術。無線通信システムは、IS-95、cdma2000、IS-856、W-CDMA、TD-SCDMA、その他の基準のような１つ以上の基準を実装するように設計されるかもしれない。
【００１１】
本開示は、フェムトセルまたは、ピコセルを含んでいるローカル基地局のような、APまたは基地局からATsへの無線信号（例えば、RF送信）の送信の制御のための装置および方法を提供する。無線信号送信の制御は、基地局とより大きな通信システム（例えば、バックホールまたはオペレーターネットワーク内のどちらか）内の他のノード間のバックホール接続の決定された品質に基づくか、または依存する。１つの側面で、基地局と通信システムの他のノード間のパケット送信のパケット接続性の計測が、前に論じられたように、バックホールパケット接続性が常に確実ではない時、基地局が基地局との通信でＡＴsに関する通信を十分に達成するかもしれないかどうかの評価をすることができる。従って、バックホールを通じたノード間のパケット接続性の品質が低下または非存在であれば、本装置および本方法は、範囲内のATsが他のローカル基地局への接続またはサービスに関する従来のマイクロ基地局への接続を許容するために、ローカル基地局からの無線信号の送信を制限または停止する。
【００１２】
図１は、多数のユーザーをサポートするように構成された、様々な開示された側面が実施されるかもしれない例示の無線通信システム１００を説明する。図１に示されるように、システム１００は、（他の例としてセクターを考慮することも可能な）セル１０２のような多数のセルまたはセクターに関する通信を提供する。基地局またはアクセスポイント（AP）１０４は、ユーザー装置（UE）とも、互換性のあるように呼ばれるかもしれない１つ以上の携帯装置またはアクセス端末（ATs）と通信する。例として、ATsは、AP１０４と無線での通信するように構成された、携帯電話１０６、コンピュータ１０８、または他の装置を含むかもしれない。
【００１３】
例として、図１のAP１０４は、例えば、１つ以上のユーザー住居のような、小さな範囲またはローカルエリアネットワーク環境に影響を与え、エイリアン同様、関連付けられたユーザー装置（UE）を担当するように構成されたフェムトセル基地局、ホームノードBユニット（HNBｓ）、または他の同様の装置であるかもしれない。このような実施で、AP１０４はバックホール１１２を経由してインターネットまたは（図示されていない）１つ以上の装置またはノードを具備するかもしれない、IPネットワークにさらに接続される。装置またはノードは、ゲートウェイ（例えば、フェムトゲートウェイ、ピコゲートウェイ、アクセスゲートウェイ）、またはモビリティマネジャーのような、（図示されていない）IPネットワーク１１０への関連したカップリングと末端接続同様に１つ以上の（図示されていない）DSLルーターまたは（図示されていない）ケーブルモデムから成るかもしれない。インターネットネットワーク１１０は、関連したバックホール（例えば、１１８）、またはマクロエリア基地局（例えば、基地局１２０）を経由した他の複数のAPｓ（例えばAP１１６）と通信するかもしれないオペレーターネットワーク１１４と接続されるかもしれない。例えば、AT１０６は、ハンドオフまたはサービスがAP１０４から利用不可能である時、他のローカルAP１１６またはマクロエリア基地局１２０とも通信するかもしれない。
【００１４】
AP１１６が、フェムトセルのようなゲストまたはエイリアンローカル APを考慮するかもしれないということがさらに言及される。このような場合、ゲストフェムトセルは、ATUE１０６または１０８が操作することを一時的に認可される基地局を参照し、エイリアンフェムトセルはATが操作することを認可されていない基地局である。１つの実施形態で、ローカルエリアAP１０４は、単一の周波数で利用されるかもしれない、またはその代わりに、他のローカルセル周波数またはマクロセル周波数の周波数と重なるかもしれない、多数の周波数で利用されるかもしれない。
【００１５】
フェムトノードの所有者が、例えばオペレーターコアネットワーク１１４を介して提供される第３世代携帯電話サービスのようなモバイルサービスに加入するかもしれないということが、フェムトセルまたはノードを具備しているAP（例えば、AP１０４）の例の中でも示される。さらに、ATs１０８または１１０は、マクロな環境と場所に依存するより小さな範囲（例えば、住宅の）ネットワーク環境の両方で動作することが可能であるかもしれない。言い換えると、ATは対応するユーザーの住宅または領域are内の多数のフェムトノード（例えば、１０４と１０６）の任意の１つまたはマクロAP１２０によって担当されるかもしれない。例えば、加入者が家の外にいた時、加入者は標準マクロAP（例えば、１２０）によって担当される。加入者が家にいた時、加入者はフェムトノード（例えば、AP１０４）によって担当される。フェムトノード（例えば、AP１０４）は、既存のアクセス端末機（例えば、１０６または１０８）と逆互換であるかもしれないということは理解されるべきだろう。
【００１６】
制限されたフェムトノード視点から、ホームアクセス端末機は、その制限されたフェムトノードにアクセスすることを許可されたアクセス端末機を参照するかもしれない。ゲストアクセス端末機は、制限されたフェムトノードへの一時的なアクセスを伴いアクセス端末機を参照するかもしれない。エイリアンアクセス端末機は、おそらく非常時、例えば、９１１コール（例えば、制限されたフェムトノードに登録するための認証情報または許可を持たないAT）、を除いて、制限されたフェムトノードにアクセスするための許可を持たないアクセス端末機を参照するかもしれない。
【００１７】
簡素化のために、この中の開示は、フェムトセルまたはノードの様々な機能性の状況を描く。しかしながら、ピコセルまたはノードは、より大きな受信可能範囲に関して同じまたは類似した機能性を提供するかもしれないということは理解されるべきだ。例えば、ピコノードは、制限されるかもしれない。つまり、ホームピコノードは特定のATに関して定義されるかもしれない等である。
【００１８】
この中で記述された例は3GPP技術を使用するけれども、その実施形態は、３ＧＰＰ２（１ｘRTT、１ｘEV-DO ROO、RevA、RevB）技術と他の公知で関連した技術、例えばUMB（Rev B、Advanced）またはロングタームエボリューション（LTE）のような技術、同様3GPP（Re１９９、Re１５、Re16、Re17）技術に適用されるかもしれないということは理解されるべきである。この中で記述されたこのような実施形態で、例えば、ローカル AP１０４の所有者は、モバイルオペレーターコアネットワーク１１４を通じて提供されたモバイルサービス、例えば第３世代携帯電話サービスのようなモバイルサービス、に加入し、AT１０６は、マクロセルラー方式の環境とスモールスケールローカルネットワーク環境の両方で動作可能である。
【００１９】
一つの側面で、図１の例のネットワークは、マクロ基地局（例えば、１２０）に加えて、多数のローカルネットワークまたはセル（例えば、セル１０２）を含むかもしれない。前に記述されたように、フェムトノードまたはセル（例えば、APs１０４または１１６）のようなローカルエリアAPsは、バックホールとインターネット接続（例えば１１０、１１２）を通って、オペレーターネットワーク（例えば、１１４）に接続されたエンドユーザ装置である。このように、それらのバックホール接続性は非確実であるかもしれない。時々、ローカルAP（例えば、１０４）が、そのバックホールパケット接続性を失った時、それは、任意のATsを担当させることは不可能であるかもしれない。さらに、AT（例えば、１０６）が、ローカルAP（例えば、１０４）に送信する任意のパケットは、ローカルAPのバックホールの弱いまたは存在しないパケット接続性が原因で喪失されるかもしれない。従って、パケット接続性が不十分であり低下した接続性を有する、または極端な場合、バックホール接続を完全に喪失したローカルAPへのローカルＡＴs接続を遮断または制限することは有利になるだろう。
【００２０】
一つの側面によると、フェムトセルのようなローカルエリア基地局は、オペレーターのネットワークへのパケット接続性（例えば、IP 接続性）を維持するために、そのバックホールを頼みにする。このように、フェムトセルは、バックホールの１つ以上のノードまたは通信網のノードへのそのパケット接続性は、一般的にそのままであるということを保証するために、プロセスまたはメカニズム（たとえば、キープアライブメカニズム）を周期的に実行するかもしれない。もし、パケット接続性が喪失、またはバックホールパケット送信品質が、ある方法で低下するのであれば、本開示は基地局からの無線信号の輻射を制限または妨げることを含む。この停止または制限は、ATsが基地局に無線で接続していることを妨げるまたは制限するだろうし、そのATが他のローカルエリア基地局またはマクロエリア基地局に、より早く接続することを可能にする。
【００２１】
従って、図２はバックホールパケット接続性の品質に基づいて、通信システムの基地局の送信を制御するための例示の方法２００のフロー図を説明する。方法２００は、基地局と通信網の間のバックホール接続の品質が決定されるブロック２０２を含む。一つの側面によると、バックホール接続の品質の決定は、バックホール接続のノードと基地局の間のパケット接続が存在するかどうかを決定することと、バックホール接続のスループットパケットキャパシティを決定することと、バックホールの通信パケットレイテンシーを決定することと、バックホールジッターのレベルを決定することの１つ以上を含むかもしれない。さらに明らかに、もし基地局とバックホール間のパケット接続性が存在しなければ、品質は存在しない。それにもかかわらず、任意の他の列挙された要素は、基地局の範囲で基地局とATｓの間の無線接続を制限することが望ましい程度にバックホールのパケット接続の品質に悪く影響を与えるかもしれない。これらの要因が、フェムトセルのような基地局がATsが担当するいくつかのクオリティオブサービス（QoS）を保証するように期待される時、特に重要になる。
【００２２】
通信システムのノード（例えば、バックホールのノードまたは装置）への基地局のバックホール接続の品質の決定は、単なる物理的接続性に限定されない。つまり、接続性の計測は、ノード間のパケット接続性の品質を計測するために、実際は定性的である。この計測は、ノード間を送信されたデータパケットがノード間のパケットに含まれた情報の適切な通信（例えば、IP 接続性）を保証するために十分な品質で送信され受信されるかどうかを決定する。現在、開示された装置および方法で、ネットワークのローカル基地局とノード間のこのパケット接続性は、ローカル基地局からのRF 輻射を制限または停止するための決定をするために使用される。
【００２３】
バックホール接続のパケット接続性の品質の決定は、基地局またはAPまたはフェムトゲートウェイ、ピコゲートウェイ、アクセスゲートウェイまたはアクセス認証、認可、アカウンティング（AAA）サーバー（に限定されないが）のようなバックホール接続またはオペレーターネットワークの他の要素またはノードにより開始されることに言及される。これらの列挙された要素の全ては、図の中に明確に示されないが、これらの要素またはノードはバックホール接続またはオペレーターネットワーク１１４のどちらかの周知の部品であるということに言及される。この機能は、その品質が、基地局によってATsの連続した担当のために十分であるかどうかを決定することの目的のためのパケット接続性の品質を周期的に決定する“キープアライブ”操作とも呼ばれるかもしれない。さらに、バックホール品質決定は、例えば、直前に先行しているリストのいくつかの素子のようにバックホール品質を決定する時の使用で、指定されたバックホールまたはオペレーターネットワークのノードまたは要素と基地局の間で実行されるかもしれない。
【００２４】
特別な例で、例えば、もしバックホールノードまたは素子が品質決定またはキープアライブ機能を開始するために使用されれば、フェムトセルは所定の時間周期で周期的にパケットを受信することを推定可能である。もしパケットもしくは複数のパケットが受信されなければ、フェムトセルはバックホールパケット接続性が無くなったものだと考えるかもしれない。代わりに、もし受信したパケットの品質計測が所定の閾値または基準に合致しなければ、パケット接続性は連続した通信に関して不十分であると考えられるかもしれない。前に述べられたように、品質決定またはキープアライブ 機能は、バックホール内のノードまたはフェムト基地局のどちらかによって周期的に開始されるかもしれない。代わりに、品質決定は新しいATが基地局に接続することを必要とするごとに基地局によって開始されるかもしれない、従ってあらゆる新しいAT接続は、最新のバックホール品質情報に基づいて行われるということを保証する。さらに別の方法で、品質決定はAPの電源を入れる毎にわれるかもしれない。
【００２５】
ブロック２０２で参照された通信網は、オペレーターネットワーク１１４、バックホールからインターネットバックボーン１１０へのゲートウェイ接続、バックホール１１２の一部（例えば、特定のノード）、またはその組み合わせの任意または全てのノードからなるかもしれないということに言及される。
【００２６】
図２を再び参照して、ブロック２０２の過程からの品質決定の後、フローはブロック２０４に進む。ブロック２０４で、基地局からの少なくとも１つの無線（RF 送信）信号の送信が、所定の品質が所定の 条件に一致しない時、妨げられる。１つの例で、所定の 条件は、バックホール 接続性であるかもしれない。従って、もしバックホール 接続性が全く無ければ、基地局は、いくつかまたは全てのRF信号を輻射することを簡単に停止するかもしれない。RF送信の停止は、いずれのATも基地局に接続しないだろうということを保証するだろう。RF送信を停止することにより、現在基地局に接続されているどのATも他の基地局にハンドオフすることを強制されることができることも言及される。例えば、図１のAP１０４は、AT１０６にRF信号を送信または輻射することを停止するだろう。結果として、AT１０６は、例としてローカルAP１１６またはマクロAP１２０にハンドオフするだろう。あるいは、ATと基地局の間を単に通信することに関する信号のような他の部分は維持するのに対して、オペレーターネットワークへのデータ転送に関する部分のような基地局からの信号のほんの一部分が妨げられるだろうと言うことは予想される。例えば、基地局（例えば、フェムトセル）は、例として、位置調整を行うために、ATによって使用されるいくつかの情報を送信するかもしれないということを、１つの例で、意図する。このような場合、その情報は、たとえバックホールがダウンしたとしても、今まで通り基地局によって送信されるかもしれない。
【００２７】
図２に示されないけれども、バックホール接続の品質が所定の条件に一致しないかどうかの決定は、決定された品質と１つ以上の所定の 条件を比較することによって連続的または周期的であるかもしれないということに言及される。上で論じられたように、品質決定はバックホールの接続性、バックホールのスループット、バックホールによって送信されるパケットのレイテンシー、またはバックホールのジッターを含むかもしれない。従って、もしバックホールの結合性がなくなると、この決定された定性的な計測または条件は満たされないだろうし、RF信号の送信は妨げられる。他の所定の条件は、特定のまたは必要なバンド幅が利用可能であることを示すだろうバックホール接続のスループットの所定のレベルであるかもしれない。もし、スループットのレベルが満たされなければ、基地局は、送信を妨げるまたは送信をATsの範囲に制限するかもしれない。
【００２８】
さらに所定の条件は、バックホールを介するパケットのレイテンシーが所定の時間またはレイテンシー閾値以下であるかである。もしそうでなければ、これはバックホール接続が、バックホール接続はある通信またはデータサービスに関してとても遅いということと、ATが他の基地局にハンドオフすることによって、より良く担当されるだろうということを示しているだろう。さらなる所定の条件は、バックホールジッターのレベルがジッター閾値以下であるということを含むかもしれない。バックホール接続の過度のジッターは、バックホール品質の低下を発生する。従って、もしそのジッターが所定の条件またはジッター閾値以下であるということを決定された品質が示せば、ATにとって代わりの基地局にハンドオフすることが望ましいかもしれない。
【００２９】
図３は、概略的に上述したような方法を実行するための装置３００の例示の実施を示す。装置３００は、ただの一例として、フェムトセルによって実施された図１の基地局１０４のような基地局または、他の適切な装置によって実施されるかもしれない。装置３００はいくつかの回路を共に接続するためのセントラルデータバス３０２または類似した装置を特徴とする。その回路はCPU（中央演算処理装置）または制御器３０４、トランシーバー回路３０６、ネットワークインターフェース回路３０８、メモリユニット３１０を含む。
【００３０】
トランシーバー回路３０６は、図１に説明されるようなAT１０６のような装置３００から送信する前に、データバス３０２からのデータを処理しバッファするための送信回路同様に、セントラルデータバス３０２に送信される前に、受信した信号を処理するための受信回路を含む。装置３００が基地局として使用される場合、トランシーバー回路３０６は１つ以上のAT’s（例えば、AT106またはAT１０８）に無線リンク３１２によってして送信するためのRF回路をふくむかもしれない。
【００３１】
CPU/制御器３０４は、メモリユニット３１０の命令内容を実行することを含み、データバス３０２のデータは位置の機能とさらに一般のデータ処理の機能を実行する。代わりのものとして、図３に示されるように別々に実装される代わりに、トランシーバー回路３０６は、CPU/制御器３０４の一部として取り込まれることが可能であるということがここで言及される。さらなる代わりのものとして、全体の装置３００は特定用途向け集積回路(ASIC)または類似の装置として実装されるかもしれない。
【００３２】
メモリユニット３１０は、１つ以上の一連の命令/モジュールを含むかもしれない。例示の装置３００で、命令/モジュールは、なかんずく、この中で記述された方法（例えば、図２のブロック２０２のプロセス）に影響を与えるように構成されたバックホール品質決定モジュールまたはバックホール品質決定機能３１４を含む。１つの例として、モジュール３１４はバックホール３１６に通信で接続された、ネットワークインターフェース回路３０８からのバックホール品質情報を引き出すかもしれない。前に記述されたように、品質の決定は装置３００によって開始されるかもしれない、またはあるいは インターフェース回路３０８を経由して通信網の他の素子からのバックホール品質情報を受信するかもしれない。
【００３３】
メモリユニット３１０は、機能的モジュール３１４の品質決定に基づいて、トランシーバー回路３０６によって送信または輻射された無線（RF）信号の少なくとも一部を妨げ、制限し、またはオフするトランシーバーRF回路制御ユニット３１８または類似のデータ構図をさらに含むかもしれない。前に論じたように、もしバックホールの品質が、図２のブロック２０４と関連して論じられたように、所定の条件に一致しないならば、RF 送信が中断され得る、またはいくつかの点で少なくとも制限され得るかのどちらかである。
【００３４】
図３の例で、メモリユニット３１０はRAM（ランダムアクセスメモリー）回路であるかもしれない。機能３１４と３１８のような例示の部分は、ソフトウェアルーチン、モジュール及び/またはデータセットである。メモリユニット３１０は、揮発性型または不揮発性型のどちらかであり得る（図示されていない）他のメモリ回路に接続され得る。代わりのものとして、メモリユニット３１０は、業界内で周知のEEPROM(電気的消去・プログラム可能型読取専用メモリ)、EPROM(消去可能・プログラム可能型読取専用メモリ)、ROM(ランダムアクセスメモリー)、ASIC(特定用途向け集積回路)、磁気ディスク、光学ディスク、他のコンピュータ読み出し可能な媒体のような他の回路タイプから構成され得る。
【００３５】
図４は、バックホール品質に基づいて、基地局の送信を制御するために利用されるかもしれない、通信システムでの使用に関する他の装置４００を説明する。基地局で実装されるかもしれない装置４００は、例えば、バックホール １１２のノードのような、通信網のノードと基地局の間のバックホール接続の品質を決定するためのモジュールまたは手段４０２を含む。手段４０２の機能性は、図２のブロック２０２と接続した上で記述した機能に類似し、手段４０２は、例としてメモリユニット３１４とプロセッサー３０４と共に実施されるかもしれない。
【００３６】
手段４０２によって決定されたバックホール品質は、バス４０４または同様の適切な通信カップリングを経由し装置４００の様々な他のモジュールまたは手段と通信されるかもしれない。特に、バックホールの品質決定は、決定した品質が所定の条件に一致しない時、基地局からの少なくとも１つの無線信号の送信を妨げるまたは制御するための手段４０６に通信される。決定されたバックホール品質が所定の条件に一致しないかどうかの比較は、手段４０６によって実行されるかもしれない、しかし、あるいは、手段４０２、および手段４０６に通信された結果として得られる決定によって実行され得るということを言及される。手段４０６の機能性は、図２のブロック２０４と関連して上述した機能に類似する。さらに、手段４０６は、例として、図３のトランシーバー回路３０６のような、基地局のトランシーバー部分のRF 送信を制御するかもしれない。手段４０６は、単なる一例として、トランシーバーの受信部分（例えば、トランシーバー回路３０６）を制御するために、プロセッサー（例えば、図３の制御器３０４）によって実行される、図３のユニット３１４のような、命令を格納しているメモリユニットによって達成されるかもしれない。
【００３７】
装置４００は、各々のモジュールの処理と動作を達成するためのコンピュータ読み出し可能な命令とデータを格納するように構成された任意のコンピュータ読み出し可能な媒体またはメモリ装置４０８もまた含むかもしれない。さらに、装置４００は、メモリ４０８のコンピュータ読み出し可能な命令を実行するためのプロセッサー４１０を含むかもしれないし、装置４００に様々なモジュールの１つ以上の機能を実行するように構成されるかもしれない。
【００３８】
当業者は、情報と信号が異なる技術と技巧のいくつかの変形を使用し表現されるかもしれないということを理解されるだろう。例えば、上の記述を通して参照されるかもしれないデータ、命令、コマンド、情報、信号、ビット、シンボル、チップは、電圧、電流、電磁波、磁場または磁粉、光学的場または光子、またはその任意の組み合わせによって表わされるかもしれない。
【００３９】
当業者は、この中に開示された例と関連して記述された、様々な説明に役立つ論理ブロック、モジュール、回路、方法とアルゴリズムは、電子機器、コンピュータソフトウェア、または両方の組み合わせとして実装されるかもしれない。ハードウェアとソフトウェア、様々な説明に役立つ部品、ブロック、モジュール、回路、方法とアルゴリズムのこの互換性のあることを明確に説明することは、それらの機能性によって一般的に上で記述された。このような機能性がハードウェアまたはソフトウェアとして実行されるかどうかは、全体のシステムに課された特定の出願とデザイン制限に依存する。当業者は、各々の特定の出願に関して、方法を変える際に記述された機能を実施するかもしれないが、このような実施の決定は本発明の範囲から逸脱することを生じるように解釈されるべきではない。
【００４０】
この中で開示された例と関連して記述された様々な説明に役立つ論理ブロック、モジュール、回路は、この中で記述された機能を実行するために設計された、多用途プロセッサー、デジタルシグナルプロセッサー(DSP)、特定用途向け集積回路（ASIC）、フィールド・プログラマブル・ゲート・アレイ（FPGA）または他のプログラム可能な論理装置、個々のゲートまたはトランジスタ論理、個々のハードウェア部品、またはその任意の組み合わせと共に実施または実行されるかもしれない。多用途プロセッサーはマイクロプロセッサーであるかもしれないが、代わりのものとして、 そのプロセッサーは、任意の従来のプロセッサー、制御器、マイクロ制御器、または状態機械であるかもしれない。プロセッサーは、カップリング装置の結合、例えばDSPとマイクロプロセッサーの結合、多くのマイクロプロセッサー、DSPコアと接続された１つ以上のマイクロプロセッサー、としても実施されるかもしれない。
【００４１】
この中で開示された例と関連して記述された方法またはアルゴリズムは、（ハードウェア、プロセッサーによって実行されるソフトウェアモジュール、またはその２つの組み合わせで直接具体化されるかもしれない。ソフトウェアモジュールは、公知のRAMメモリ、フラッシュメモリ、ROMメモリ、EPROMメモリ、EEPROMメモリ、レジスター、ハードディスク、リムーバブルディスク、CD-ROM、または記憶媒体の他の形態内に存在するかもしれない。記憶媒体は、プロセッサーが記憶媒体から情報を読み出し、記憶媒体に情報を書き込むことが可能なようにプロセッサーに接続されるかもしれない。代わりに、記憶媒体はプロセッサーと一体化されるかもしれない。そのプロセッサーとその記憶媒体は、ASICに存在するかもしれない。
【００４２】
１つ以上の例示の実施形態で、記述された機能はハードウェア、ソフトウェア、ファームウェア、またはその任意の組み合わせに実装されるかもしれない。もし、ソフトウェアに実装されれば、機能はコンピュータ可読の媒体の１つ以上の命令またはコードによって格納され、または送信されるかもしれない。コンピュータ可読の 媒体は、１つの場所から他の場所へのコンピュータプログラムの転送を容易にする任意の媒体を含んでいるコンピュータ記憶 媒体と通信媒体の両方を含む。記憶媒体は、コンピュータによってされた任意の利用可能な媒体であるかもしれない。例の目的で、限定されないが、このようなコンピュータ可読の 媒体は、命令またはデータ構造の形式で所望のプログラムコードを伝達または格納するために使用されることが可能で、コンピュータによってアクセスされることが可能なRAM、ROM、EEPROM、CD-ROM、またはたの媒体を具備することが可能である。また、任意の接続は、コンピュータ可読の媒体に適切に称される。例えば、もしソフトウェアが、赤外線、ラジオ、マイクロ波のような、同軸ケーブル、光ファイバーケーブル、ツイストペア、デジタル加入者回線（DSL）、または無線技術を使用している、ウェブサイト、サーバー、または他のリモートソースから送信されると、赤外線、ラジオ、マイクロ波のような、同軸ケーブル、光ファイバーケーブル、ツイストペア、デジタル加入者回線（DSL）、または無線技術は、情報伝達手段の定義に含まれる。この中で使用されるようなディスク（Disk）とディスク（disc）は、ディスク（discs）がレーザーで光学的にデータを再生するのに対して、ディスク（disks）は磁気的にデータを通常再生する、コンパクトディスク（CD）、レーザーディスク（登録商標）、光学ディスク、デジタル多用途ディスク（DVD）、フロッピー（登録商標）ディスク、ブルーレイディスクを含む。上の組み合わせはコンピュータ可読の媒体の範囲内にも含まれるべきだ。
【００４３】
単語“例示の”は、”例、例証、または図として働いている“ことを意味するように、この中で使用される。”例示の”のようにこの中に記述された実施形態は、他の実施形態に関して望ましいまたは有利として構成される必要はない。開示された例は、次の技術の任意の一つまたは組み合わせに適用されるかもしれない。例えば、符号分割多重接続（CDMA）システム、マルチキャリアCDMA(MC-CDMA)、広域CDMA(W-CDMA)、ハイスピードダウンリンクパケットアクセス(HSPA、HSPA+)、時分割多重アクセス（TDMA）システム、周波数分割多元接続（FDMA）システム、直交周波数分割多元接続（OFDMA）システム、ウルトラ・モバイル・ブロードバンド（UMB）、ロングタームエボリューション（LTE）または他の多数のアクセス技術。例えば、無線通信システムは、IS-95、cdma２０００、IS−８５６、W-CDMA、TD-SCDMA、その他の基準のような１つ以上の基準を実装するように設計されるかもしれない。
【００４４】
上で記述した例は、単なる例であり、当業者は、この中に開示された発明の概念から逸脱することなしに上述の例の多くをこれから利用し、そこから脱却するかもしれない。これらの例に対する様々な変更が、当業者にすでに理解されるかもしれないし、この中で定義された本来の原理は、この中に記述された新しい側面の精神または範囲を逸脱することなく、他の例、例えば、インスタントメッセージサービスまたは任意の一般の無線データ通信アプリケーションで、に適用されるかもしれない。従って、開示の範囲は、この中に示された例に限定される意図はなく、この中に開示された原理と新しい特徴と一致する最も広い範囲に一致されるべきだ。従って、この中に記述された新しい側面は、次の請求項の範囲によって単に定義されるべきだ。
【図１】
2011514758.tif 000003
【図２】
2011514758.tif 000004
【図３】
2011514758.tif 000005
【図４】
2011514758.tif 000006
【国際調査報告】
2011514758.tif 000007
2011514758.tif 000008
2011514758.tif 000009